(57)【特許請求の範囲】
【請求項１】
露光条件を制御するカメラ制御部を備えたカメラとともに使用される閃光装置であって、
閃光を発生する閃光発生部と、
前記閃光発生部を覆うカバー部材と、
前記カバー部材に取付けられる温度センサと、
前記温度センサの出力に基づいて、前記閃光発生部による閃光の発生を制御する制御部とを有し、
前記制御部は、
前記温度センサにより検出された温度が最大許可温度Ｔ１以上である場合には、前記閃光発生部による閃光を禁止し、
前記温度センサにより検出された温度が所定温度Ｔ２以上、前記最大許可温度Ｔ１未満である場合には、前記閃光発生部による発光量を制限し、かつ前記カメラ制御部に前記露光条件を変更させるための露光条件調整信号を、前記カメラ制御部に対して送信することを特徴とする閃光装置。
【請求項２】
請求項１に記載された閃光装置であって、
前記制御部が、前記閃光発生部による閃光を禁止する場合、および前記閃光発生部による発光量を制限する場合に、所定の警告をする警告部を有することを特徴とする閃光装置。
【請求項３】
請求項１または２に記載された閃光装置であって、
前記カバー部材は、前記閃光発生部による閃光を射出する光透過部と、前記光透過部を覆う筐体部とを有し、
前記温度センサは、前記光透過部又は前記筐体部に取り付けられることを特徴とする閃光装置。
【請求項４】
請求項３に記載された閃光装置であって、
前記温度センサは、前記光透過部の外縁部分に取り付けられることを特徴とする閃光装置。
【請求項５】
請求項１から４までの何れか１項に記載された閃光装置であって、
前記温度センサは、前記カバー部材の所定位置に設けられた第１温度センサと、前記第１温度センサが設けられた位置よりも前記閃光発生部による熱の発生が少ない位置に設けられた第２温度センサとを含むことを特徴とする閃光装置。
【請求項６】
請求項１から５までの何れか１項に記載された閃光装置であって、
前記カバー部材の温度を予測する温度予測部をさらに有し、
前記制御部は、前記温度予測部による温度予測結果に基づいて、前記閃光発生部による閃光を制御することを特徴とする閃光装置。
【請求項７】
請求項１から６までの何れか１項に記載された閃光装置を含むカメラ。
【請求項８】
請求項７に記載されたカメラであって、
前記制御部による制御に応じて、露光感度調整部、シャッタスピード調整部、及び、絞り部から選択される少なくとも一つを制御可能な撮影制御部を有することを特徴とするカメラ。
【発明の詳細な説明】
【技術分野】
【０００１】
本発明は、閃光装置及びそれを備えた光学機器に関する。
【背景技術】
【０００２】
カメラ等の光学機器においては、暗い場合でも撮影が可能となるように、閃光装置を用いることや、閃光装置を内蔵した光学機器を用いることが広く行われている。一方で、このような閃光装置を用いた撮影を頻繁に行うと、発光時に閃光部品が発熱し、閃光部品による閃光を射出するためのフレネルレンズが高温になり、変色、溶解する場合があった。さらには、閃光装置を覆うカバーが高温になり、変形、変色する場合があり、この場合には、カバーは撮影者が直接触れる部分であるため、撮影者に不快感を与えることがあった。これに対して、閃光装置において、閃光装置の発熱源の温度を検出し、所定温度以上となると閃光部品の充電を禁止し、閃光部品の発光を禁止するものが提案されている（例えば、特許文献１参照）。
【０００３】
【特許文献１】特開昭６０−２１８８００号公報
【発明の開示】
【発明が解決しようとする課題】
【０００４】
しかしながら、閃光装置の発熱源の温度を検出する方法では、発熱源の温度と、撮影者が直接触れるカバー部材の温度とは必ずしも一致しないという問題があった。本発明が解決しようとする課題は、閃光による熱の発生を適切に制御することができる閃光装置及び光学機器を提供することである。
【課題を解決するための手段】
【０００５】
請求項１に係る発明は、露光条件を制御するカメラ制御部を備えたカメラとともに使用される閃光装置であって、閃光を発生する閃光発生部（３２０）と、前記閃光発生部を覆うカバー部材（３１０，３３０）と、前記カバー部材（３１０，３３０）に取付けられる温度センサ（３４０）と、前記温度センサ（３４０）の出力に基づいて、前記閃光発生部（３２０）による閃光の発生を制御する制御部（３６０）とを有し、前記制御部は、前記温度センサにより検出された温度が最大許可温度Ｔ１以上である場合には、前記閃光発生部による閃光を禁止し、前記温度センサにより検出された温度が所定温度Ｔ２以上、前記最大許可温度Ｔ１未満である場合には、前記閃光発生部による発光量を制限し、かつ前記カメラ制御部に前記露光条件を変更させるための露光条件調整信号を、前記カメラ制御部に対して送信することを特徴とする閃光装置である。
【０００７】
請求項２の発明は、請求項１に記載された閃光装置であって、前記制御部（３６０）が、前記閃光発生部による閃光を禁止する場合、および前記閃光発生部による発光量を制限する場合に、所定の警告をする警告部（３７０）を有することを特徴とする閃光装置である。
【０００８】
請求項３の発明は、請求項１または２に記載された閃光装置であって、前記カバー部材（３１０，３３０）は、前記閃光発生部（３２０）による閃光を射出する光透過部（３３０）と、前記光透過部を覆う筐体部（３１０）とを有し、前記温度センサ（３４０）は、前記光透過部（３３０）又は前記筐体部（３１０）に取り付けられることを特徴とする閃光装置である。
【０００９】
請求項４の発明は、請求項３に記載された閃光装置であって、前記温度センサ（３４０）は、前記光透過部（３３０）の外縁部分に取り付けられることを特徴とする閃光装置である。
【００１０】
請求項５の発明は、請求項１から４までの何れか１項に記載された閃光装置であって、前記温度センサは、前記カバー部材（３１０，３３０）の所定位置に設けられた第１温度センサ（３４０）と、前記第１温度センサが設けられた位置よりも前記閃光発生部（３２０）による熱の発生が少ない位置に設けられた第２温度センサ（３４０ａ）とを含むことを特徴とする閃光装置である。
【００１１】
請求項６の発明は、請求項１から５までの何れか１項に記載された閃光装置であって、前記カバー部材（３１０，３３０）の温度を予測する温度予測部をさらに有し、前記制御部（３６０）は、前記温度予測部による温度予測結果に基づいて、前記閃光発生部（３２０）による閃光を制御することを特徴とする閃光装置である。
【００１２】
請求項７の発明は、請求項１から６までの何れか１項に記載された閃光装置を含むカメラである。
【００１３】
請求項８の発明は、請求項７に記載されたカメラであって、前記制御部（３６０）による制御に応じて、露光感度調整部（１７０）、シャッタスピード調整部（１８０）、及び、絞り部（２４０）から選択される少なくとも一つを制御可能な撮影制御部（１６０，２５０）を有することを特徴とするカメラである。
【発明の効果】
【００１４】
本発明によれば、閃光による熱の発生を適切に制御することができる閃光装置及び光学機器を提供することができる。
【発明を実施するための最良の形態】
【００１５】
《第１実施形態》
以下、本発明の第１実施形態を図面に基づいて説明する。
図１は第１実施形態に係る一眼レフデジタルカメラシステム１を示す要部断面図であり、上記発明の閃光装置および光学機器に関する構成以外の一眼レフデジタルカメラシステムの一般的構成については、その図示と説明を一部省略する。
【００１６】
本実施形態の一眼レフデジタルカメラシステム１（以下、単にカメラシステム１という。）は、カメラボディ１００とレンズ鏡筒２００と閃光装置３００とを備え、カメラボディ１００とレンズ鏡筒２００とはマウント部４００により着脱可能に結合され、同様に、カメラボディ１００と閃光装置３００とは、マウント部５００により着脱可能に結合されている。
【００１７】
レンズ鏡筒２００には、フォーカスレンズ２１１やズームレンズ２１２を含むレンズ群２１０や絞り装置２２０などからなる撮影光学系が内蔵されている。
【００１８】
フォーカスレンズ２１１は、その光軸Ｌ１に沿って移動可能に設けられ、エンコーダ２６０によってその位置が検出されつつレンズ駆動モータ２３０によってその位置が調節される。
【００１９】
絞り装置２２０は、上記撮影光学系を通過して撮像素子１１０に至る光束の光量を制限するとともにボケ量を調整するために、光軸Ｌ１を中心にした開口径が調節可能に構成されている。絞り装置２２０による開口径の調節は、たとえば、カメラボディ１００に設けられた操作部１５０によるマニュアル操作により、設定された開口径がカメラ制御部１６０からレンズ制御部２５０を介して絞り駆動部２４０へ送信されることによって行われる。絞り装置２２０の開口径は、図示しない絞り開口センサにより検出され、レンズ制御部２５０で現在の開口径が認識される。
【００２０】
カメラボディ１００は、図１に示すように、被写体からの光束を撮像素子１１０、ファインダ１３５、測光センサ１３７及び焦点検出光学モジュール１６１へ導くためのクイックリターンミラー１２０を備える。
【００２１】
図１には、クイックリターンミラー１２０が被写体の観察位置にある状態を実線で示し、被写体の撮影位置にある状態を二点鎖線で示す。クイックリターンミラー１２０は、被写体の観察位置にある状態では光軸Ｌ１の光路上に挿入される一方で、被写体の撮影位置にある状態では光軸Ｌ１の光路から退避するように回転する。
【００２２】
クイックリターンミラー１２０が、被写体の観察位置にある状態においては、被写体からの光束（光軸Ｌ１）の一部の光束（光軸Ｌ２，Ｌ３）が当該クイックリターンミラー１２０で反射してファインダ１３５および測光センサ１３７へ導かれる。一方で、撮影者がレリーズボタンを押すとクイックリターンミラー１２０が撮影位置に回転し、被写体からの光束（光軸Ｌ１）は撮像素子１１０へ導かれ、撮影した画像データを図示しないメモリに保存する。
【００２３】
なお、クイックリターンミラー１２０は、クイックリターンミラー１２０の回転に合わせて回転するサブミラー１２２を備える構成とし、サブミラー１２２により、被写体からの光束（光軸Ｌ１）の一部を焦点検出手段に導かれるようにしても良い。
【００２４】
撮像素子１１０は、カメラボディ１００の、被写体からの光束の光軸Ｌ１上であって、撮影光学系２１０の予定焦点面となる位置に固定されている。撮像素子１１０は、複数の光電変換素子が二次元に配列されたものであって、二次元ＣＣＤイメージセンサ、ＭＯＳセンサまたはＣＩＤなどで構成することができる。撮像素子１１０は、露光感度調整部１７０により、その露光感度を変更できるようになっている。この撮像素子１１０で光電変換された電気画像信号は、カメラ制御部１６０で画像処理されたのち図示しないメモリに保存される。なお、撮影画像を格納するメモリは内蔵型メモリやカード型メモリなどで構成することができる。
【００２５】
シャッタ１１１は、撮像素子１１０の手前に配置され、これにより、被写体からの光束（光軸Ｌ１）を制限するものである。シャッタ１１１は、シャッタスピード調整部１８０により、その開閉時間が制御される。
【００２６】
一方、クイックリターンミラー１２０で反射された被写体光は、撮像素子１１０と光学的に等価な面に配置された焦点板１３１に結像し、ペンタプリズム１３３と接眼レンズ１３４とを介して撮影者の眼球に導かれる。このとき、透過型液晶表示器１３２は、焦点板１３１上の被写体像に焦点検出エリアマークを重畳して表示するとともに、被写体像外のエリアにシャッタスピード、絞り値、撮影枚数などの撮影に関する情報に加え、閃光装置３００の制御モードや撮影可能枚数などを表示する。これにより、レリーズしない状態において、ファインダ１３４を通して被写体およびその背景ならびに撮影関連情報などを観察することができる。
【００２７】
また、接眼レンズ１３４の近傍には、測光用レンズ１３６と測光センサ１３７が設けられ、焦点板１３１に結像した被写体光の一部を受光する。
【００２８】
測光センサ１３７は、二次元カラーＣＣＤイメージセンサなどで構成され、撮影の際の露出値を演算するため、撮影画面を複数の領域に分割して領域ごとの輝度に応じた測光信号を出力する。測光センサ１３７で検出された測光信号はカメラ制御部１６０へ出力され、露出制御に用いられる。
【００２９】
操作部１５０は、シャッタレリーズボタンや撮影者がカメラシステム１の各種動作モードを設定するための入力スイッチである。この操作部１５０により設定された各種モードはカメラ制御部１６０へ送信され、当該カメラ制御部１６０によりカメラシステム１全体の動作が制御される。本実施形態では、操作部１５０は、閃光装置３００の制御モードの選択ができるようになっており、たとえば、「所定温度以上となった場合には強制的に発光禁止とするモード」、「発光量制限を実施するモード」、「発光制御を全く実施しないモード」などを選択できるようになっている。なお、閃光装置３００の制御モードの選択は、カメラボディ１００の操作部１５０以外の操作手段、たとえば閃光装置３００などに設けられた操作部などにより行われるようにしても良い。
【００３０】
カメラボディ１００にはカメラ制御部１６０が設けられている。カメラ制御部１６０はマイクロプロセッサとメモリなどの周辺部品から構成され、マウント部４００に設けられた電気信号接点部（図示省略）によりレンズ制御部２５０と電気的に接続され、このレンズ制御部２５０からレンズ情報を受信するとともに、レンズ制御部２５０へ絞り開口径などの情報を送信する。さらには、カメラ制御部１６０は、マウント部５００に設けられた電気信号接点部３５０により閃光装置制御部３６０と電気的に接続され、この閃光装置制御部３６０からの閃光装置の温度情報や閃光装置の発光の制限に関する情報を受信するとともに、閃光装置制御部３６０へ発光の要否などの情報を送信する。また、カメラ制御部１６０は、上述したように撮像素子１１０から画像情報を読み出すとともに、必要に応じて所定の情報処理を施し、図示しないメモリに出力する。さらに、カメラ制御部１６０は、撮影画像情報の補正やレンズ鏡筒２００の焦点調節状態、絞り調節状態などを検出したり、閃光装置３００へ閃光指令を送信するなど、カメラシステム１全体の制御を司る。
【００３１】
閃光装置３００は、被写体への閃光発光を行う閃光発生部３２０を、筐体３１０とフレネルレンズ３３０とで覆ってなる。
【００３２】
閃光発生部３２０は、図１に示すように、キセノン管３２１と反射傘３２２とを有し、閃光装置制御部３６０から閃光発生信号を受信して、被写体への閃光発光を行う。キセノン管３２１は、管形状長手方向がカメラシステム１の水平方向に沿うように配置され、一方、反射傘３２２は、キセノン管３２１の発光を被写体に向けて反射するようにキセノン管３２１を覆うように配置される。
【００３３】
フレネルレンズ３３０は、閃光発生部３２０による閃光を、被写体へ射出可能とするために設けられる透過レンズである。フレネルレンズ３３０は、閃光装置３００の要部拡大断面図である図２に示すように、筐体３１０に保持されてなる。
【００３４】
また、図１、図２に示すように、本実施形態の閃光装置３００には、フレネルレンズ３３０の外縁部分に温度センサ３４０が設けられており、これにより、フレネルレンズ３３０の外縁部分の温度を測定できるようになっている。温度センサ３４０はたとえばサーミスタなどで構成することができる。この温度センサ３４０は、閃光装置制御部３６０と電気的に接続されており、温度センサ３４０により測定した温度の情報は閃光装置制御部３６０に送信される。なお、フレネルレンズ３３０の外縁部分に温度センサ３４０を設けることにより、閃光装置３００に撮影者が触った際に撮影者が体感する温度に近い温度を測定することができる。
【００３５】
閃光装置制御部３６０は、閃光発生部３２０への閃光発生信号の送信や、温度センサ３４０による温度の情報の受信を行う。加えて、本実施形態では、閃光装置制御部３６０は、温度センサ３４０により測定された温度に基づき、カメラボディ１００の操作部１５０で設定された閃光装置３００の制御モードに応じて、閃光発生部３２０による発光を制御する。なお、閃光装置３００の制御モードとしては、筐体３１０やフレネルレンズ３３０が熱くなることを防ぎたい場合に選択される「所定温度以上となった場合には強制的に発光禁止とするモード」、これらが熱くなりすぎない程度なら多少の発光を継続したい場合に選択される「発光量制限を実施するモード」の他、これらが熱くなりすぎても良いから無制限に発光させたい場合に選択される「発光制御を全く実施しないモード」などが挙げられる。
【００３６】
たとえば、操作部１５０により「所定温度以上となった場合には強制的に発光禁止とするモード」が選択されている場合には、閃光装置制御部３６０は、温度センサ３４０による温度の情報に応じて、閃光発生部３２０による発光を禁止すべきかを判断し、発光を禁止すべきと判断した場合には、発光を禁止する。たとえば、閃光発生部３２０による発光を禁止するための最大許可温度Ｔ１が設定されている場合には、温度センサ３４０により最大許可温度Ｔ１以上の温度が検出されると、閃光発生部３２０による発光を禁止する。これにより、フレネルレンズ３３０の外縁部分の温度が、最大許可温度Ｔ１を超える温度に上昇してしまうことを防止し、自然冷却により温度を適正温度に低下させることができる。なお、閃光発生部３２０による発光を禁止する場合には、閃光装置制御部３６０は警告部に発光制限・禁止信号を送信する。
【００３７】
ここで、閃光発生部３２０による発光を禁止するために用いられる、最大許可温度Ｔ１は、予め閃光装置制御部３６０に設定しておき、これを用いても良いし、あるいは、カメラボディ１００の操作部１５０により撮影者が設定できるようにしても良い。撮影者が最大許可温度Ｔ１を設定する方法としては、撮影者が操作部１５０により最大許可温度Ｔ１を直接指定する方法や、撮影者が実際に閃光装置に触った際に熱いと感じた時に、操作部１５を操作し、その温度を設定できるようにする方法などが挙げられる。
【００３８】
あるいは、カメラボディ１００の操作部１５０により「発光量制限を実施するモード」が選択されている場合には、閃光装置制御部３６０は、温度センサ３４０による温度の情報に応じて、閃光発生部３２０の発光量を制限すべきかを判断し、発光量を制限すべきと判断した場合には、閃光発生部３２０の発光量を制限する。たとえば、発光量を制限するための所定温度Ｔ２が設定されている場合には、温度センサ３４０により所定温度Ｔ２以上の温度が検出されると、閃光発生部３２０へ閃光発生信号を送信する際に、閃光発生部３２０による発光量を制限する旨の信号を送信する。これにより、フレネルレンズ３３０の外縁部分における温度の上昇を緩和することができる。なお、閃光発生部３２０による発光量を制限する場合には、閃光装置制御部３６０は警告部３７０に発光制限・禁止信号を送信する。
【００３９】
また、「所定温度以上となった場合には強制的に発光禁止とするモード」と、「発光量制限を実施するモード」とは、組み合わせて設定することもできる。
【００４０】
さらに、「発光制御を全く実施しないモード」が選択されている場合には、閃光装置制御部３６０は、発光の禁止・発光量の制限を行うことなく、閃光発生部３２０への閃光発生信号の送信を行う。
【００４１】
警告部３７０は、閃光装置制御部３６０から発光制限・禁止信号を受信し、警告手段（図示省略）に警告を発生させる。警告手段としては特に限定されないが、警告ブザーや、警告ランプなどが挙げられる。あるいは、警告部３７０から、直接、あるいは閃光装置制御部３６０を介して、カメラ制御部１６０に警告信号を送信し、カメラボディ１００に備えられた液晶画面（図示省略）やファインダ１３７に警告表示を行うものであってもよい。液晶画面やファインダ１３７に警告表示を行う場合においては、たとえば、「所定温度以上となった場合には強制的に発光禁止とするモード」が選択されている場合に、あと何回閃光したら最大許可温度Ｔ１以上となり発光が禁止されると予想される旨の表示をしたり、また、「発光量制限を実施するモード」が選択されている場合に、あと何回閃光したら、所定温度Ｔ２以上となり、発光量抑制が開始される旨の表示をする方法等が挙げられる。
【００４２】
なお、あと何回閃光したら温度Ｔ１またはＴ２以上となるかを算出する方法としては、たとえば、次の方法が挙げられる。すなわち、閃光装置制御部３６０に、温度センサ３４０により測定される温度と、その温度において閃光発光した場合における上昇温度との関係を、予め記憶させておき、これを用いる方法が挙げられる。あるいは、閃光装置３００による発光を行った場合における、温度センサ３４０により測定された発光前の温度と、発光後の温度とを逐次記憶しておき、得られた結果から、このような関係を学習していく方法としても良い。さらには、電源を入れて最初に閃光装置を用いた撮影を行った際における温度センサ３４０により測定された閃光による上昇温度を記録しておき、それを用いる方法なども挙げることができる。
【００４３】
次に動作を説明する。
【００４４】
まず、「所定温度以上となった場合には強制的に発光禁止とするモード」が選択されている場合における動作を説明する。
閃光装置制御部３６０は、温度センサ３４０から温度の情報を受信し、受信した温度センサ３４０により測定された温度と、最大許可温度Ｔ１とを比較する。比較の結果、温度センサ３４０により測定された温度が最大許可温度Ｔ１以上である場合には、閃光装置制御部３６０は閃光発生部３２０による発光を禁止する。そのため、この場合においては、撮影者によりレリーズボタンが押され、カメラ制御部１６０から閃光装置制御部３６０にレリーズ信号が送信された際に、同時に閃光発光すべき旨の信号を受信していた場合でも、閃光装置３００は閃光発光しないこととなる。また、閃光発生部３２０による発光を禁止する際には、閃光装置制御部３６０から警告部３７０に発光制限・禁止信号を送信され、警告手段により撮影者に警告が発せられる。一方、温度センサ３４０により測定された温度が、最大許可温度Ｔ１未満である場合、または、一度最大許可温度Ｔ１以上となり、その後、自然冷却により、最大許可温度Ｔ１未満まで冷却された場合には、カメラ制御部１６０からの閃光発光すべき旨の信号に応じて、通常通り、閃光発光が行われる。
【００４５】
また、「発光量制限を実施するモード」が選択されている場合においては、温度センサ３４０により測定された温度と比較する温度として、最大許可温度Ｔ１の代わりに所定温度Ｔ２を用いるとともに、所定温度Ｔ２以上である場合には、閃光装置３００による発光を禁止する代わりに、閃光装置制御部３６０による発光量を制限する以外は、上記「所定温度以上となった場合には強制的に発光禁止とするモード」が選択されている場合と同様である。なお、「発光量制限を実施するモード」においては、温度センサ３４０により測定された温度が高い場合には、発光量の制限割合を増加させる等、温度センサ３４０により測定された温度に応じて、発光量の制限割合を変化させてもよい。
【００４６】
また、「発光量制限を実施するモード」において、閃光装置制御部３６０による発光量を制限する際には、閃光装置制御部３６０からカメラ制御部１６０に露光条件調整信号が送信されるようにし、これにより、カメラ制御部１６０により露光条件を変更できるような構成とすることが望ましい。露光条件を変更することにより、閃光装置制御部３６０による発光量が制限された場合であっても、被写体を良好に撮影するために必要な光量を十分確保することができる。露光条件を変更する手段としては、たとえば、カメラ制御部１６０から露光感度調整部１７０に露光感度調整信号を送信し、それに基づき撮像素子１１０の露光感度を高くする方法が挙げられる（具体的には、閃光装置３００による発光量を半分とした場合には、撮像素子１１０の露光感度を２倍とする。）。あるいは、カメラ制御部１６０からシャッタスピード調整部１８０にシャッタスピード調整信号を送信し、それに基づき、シャッタ１１１を開ける時間を長くする方法や、カメラ制御部１６０からレンズ制御部２５０を介し、絞り駆動部２４０に絞り調整信号を送信し、絞り２２０の開口径を開放側に調整する方法なども挙げられる。
【００４７】
このような本実施形態によれば、温度センサ３４０を、閃光装置３００のフレネルレンズ３３０の外縁部分に設けるため、閃光装置３００に撮影者が触った際に体感する温度に相当する温度を測定することができる。そして、本実施形態では、この温度センサ３４０により測定された温度に基づき、閃光発生部３２０による発光の禁止または発光量の制限を行い、これにより閃光装置３００の温度を自然冷却により降下させることができ、その結果として、閃光装置３００の温度上昇を適切に制御することができる。特に、本実施形態によれば、閃光装置３００のうち最も温度が上昇する部分である閃光発生部３２０ではなく、閃光発生部３２０を覆う、フレネルレンズ３３０の外縁部分に温度センサ３４０を設置しているため、撮影者が触った際に体感する温度に基づく適切な制御が可能となる。
【００４８】
《第２実施形態》
次に、本発明の第２実施形態について説明する。本発明の第２実施形態は、以下に説明する以外は、上述の第１実施形態と同様の構成を有し、同様の作用効果を奏するものである。
【００４９】
図３は、第２実施形態に係るカメラシステムの閃光装置の要部拡大断面図である。図３に示すように、第２実施形態においては、温度センサ３４０を、筐体３１０のうち、フレネルレンズ３３０を保持する部分の下面側（−Ｘ方向側の面）に配置している。温度センサ３４０をこのような部分に配置するで、第１実施形態と同様に、撮影者が触った際に体感する温度と近い温度を測定することができる。加えて、第２実施形態においては、温度センサ３４０を、フレネルレンズ３３０を保持する部分の下面側に配置することにより、実際に撮影者が触れる部分である、フレネルレンズ３３０を保持する部分の上面側と実質的に同じ温度を測定可能としながら、閃光装置３００の外観を良好なものとすることができる。
【００５０】
《第３実施形態》
次に、本発明の第３実施形態について説明する。本発明の第３実施形態は、以下に説明する以外は、上述の第１実施形態と同様の構成を有し、同様の作用効果を奏するものである。
【００５１】
図４は、第３実施形態に係るカメラシステムの閃光装置の要部拡大断面図である。図４に示すように、第３実施形態においては、温度センサ３４０を、フレネルレンズ３３０外縁部分と、筐体３１０のうち、フレネルレンズ３３０を保持する部分の下面側と、の２箇所に配置している。温度センサ３４０を２箇所に配置することにより、撮影者が触った際に体感する温度と近い温度をより正確に測定できることに加え、たとえば、一方の温度センサ３４０が何らかの理由で故障した場合にも対応することが可能となる。
【００５２】
《第４実施形態》
次に、本発明の第４実施形態について説明する。本発明の第４実施形態は、以下に説明する以外は、上述の第１実施形態と同様の構成を有し、同様の作用効果を奏するものである。
【００５３】
図５は、第４実施形態に係るカメラシステムの閃光装置を示す要部断面図である。図５に示すように、第４実施形態においては、閃光装置３００は、フレネルレンズ３３０外縁部分に設けた温度センサ３４０に加えて、閃光発生部３２０から離れた位置に、温度センサ３４０ａを有する。温度センサ３４０ａは、図５に示すように、閃光発生部３２０から離れた、閃光発生部３２０による熱の発生が少ない位置に配置されるため、閃光発生部３２０による熱の発生の影響を受けず、閃光装置３００が用いられる環境の温度を測定することができる。そして、第４実施形態では、ストロボ制御部３６０は、温度センサ３４０ａにより測定された温度情報より、閃光装置３００が用いられる環境の温度に応じて、閃光発生部３２０による発光量を制限すべきか、あるいは発光を禁止すべきかを判断する。たとえば、環境温度が高すぎる場合に、閃光発生部３２０は発熱しておらず、閃光発生部３２０付近が熱くなっていないにもかかわらず、閃光発生部３２０による発光量の制限、および発光の禁止が行われることを適切に回避することができる。
【００５４】
なお、以上説明した実施形態は、本発明の理解を容易にするために記載されたものであって、本発明を限定するために記載されたものではない。したがって、上記の実施形態に開示された各要素は、本発明の技術的範囲に属する全ての設計変更や均等物をも含む趣旨である。
【００５５】
たとえば、上述の実施形態では、閃光装置３００とカメラボディ１００とを着脱可能な別部品とする例について説明したが、閃光装置３００とカメラボディ１００とは一体化されたものであっても良い。また、上述の実施形態では、一眼レフデジタルカメラに本発明を適用した例について説明したが、本発明においては特にこれに限定されず、コンパクトカメラやビデオカメラ、スチルカメラ、携帯電話用のカメラ、銀塩フィルムを用いた一眼レフカメラなどのその他の光学機器に本発明を適用しても良い。
【００５６】
また、上述した実施形態では、温度センサ３４０により測定される温度が、温度Ｔ１またはＴ２以上となった場合に、発光禁止または発光量の制限を行う構成としたが、閃光装置制御部３６０は、温度Ｔ１またはＴ２に到達する前に、あと何回閃光可能かを予測しておき、予測した結果に基づき、予め発光量を制限する構成としてもよい。予め発光量を制限しておくことにより、温度Ｔ１またはＴ２に到達するまでの発光可能回数を増加させることができる。なお、予め発光量を制限する際には、温度Ｔ１またはＴ２に近くなるにしたがって、発光量の制限割合を増加させていく構成とすることが好ましい。また、あと何回閃光可能かを予測する際には、上述した第１実施形態における、あと何回閃光したら温度Ｔ１またはＴ２以上となるかを算出する方法と同様とすれば良い。
【００５７】
さらに、閃光装置３００の制御モードとして、上述したモード以外にも、たとえば、「連写モードを禁止するモード」や「連写モードの連写スピードを低下させるモード」などを採用しても良い。撮影モードが連写モードとなっている場合には、閃光装置３００の閃光発光回数も多くなる傾向にあるため、連写モードを禁止したり、連写スピードを低減することによっても、閃光装置３００の温度上昇を適切に制御することができる。
【００５８】
また、上述の実施形態では、温度センサ３４０をフレネルレンズ３３０外縁部分や、筐体３１０のうち、フレネルレンズ３３０を保持する部分の下面側に配置する例を示したが、フレネルレンズ３３０および筐体３１０のうち、閃光発生部３２０の発熱による温度上昇が測定できる箇所であれば、どこに設置しても良い。
【図面の簡単な説明】
【００５９】
【図１】図１は第１実施形態に係る一眼レフデジタルカメラシステムを示す要部断面図である。
【図２】図２は第１実施形態に係るカメラシステムの閃光装置の要部拡大断面図である。
【図３】図３は第２実施形態に係るカメラシステムの閃光装置の要部拡大断面図である。
【図４】図４は第３実施形態に係るカメラシステムの閃光装置の要部拡大断面図である。
【図５】図５は第４実施形態に係るカメラシステムの閃光装置を示す要部断面図である。
【符号の説明】
【００６０】
１…一眼レフデジタルカメラシステム
１００…カメラボディ
１１０…撮像素子
１６０…カメラ制御部
２００…レンズ鏡筒
２１０…レンズ郡
２２０…絞り装置
２５０…レンズ制御部
３００…閃光装置
３１０…筐体
３２０…閃光発生部
３３０…フレネルレンズ
３４０，３４０ａ…温度センサ
３６０…閃光装置制御部
３７０…警告部
【図１】
0005228636.tif 000002
【図２】
0005228636.tif 000003
【図３】
0005228636.tif 000004
【図４】
0005228636.tif 000005
【図５】
0005228636.tif 000006